(57)【要約】【課題】帯紐およびマットに工夫を施し、乳幼児に負担がかからず快適で、背負う人にとっても扱いやすい、おんぶ紐を提供する。【解決手段】乳幼児をくるむマットと、マットに取着された帯紐とからなるおんぶ紐において、マットの側部に、マットをマット側方内側に押し込むことで縮み込む拡縮部としての袋部を設ける。帯紐は、袋部の開口内からマット幅方向に突出するように袋部内に縫着される。帯紐は幅広に縫製され、中間部位に柔軟素材が介装され、乳幼児の脚裏に緩衝的に当たるようにしている。また、帯紐は長さ調節可能に保持する紐止め部を備える。【選択図】図１
2019000607.tif 000002
【特許請求の範囲】
【請求項１】
乳幼児をくるむマットと、マットに取着された帯紐とからなり、帯紐を背負う人の肩越しに掛け渡して乳幼児をマットごと背負い保持するようにした、おんぶ紐において、
前記マットは、マットをマット側方内側に押し込むことで縮み込む拡縮部を備えた、ことを特徴とするおんぶ紐。
【請求項２】
前記拡縮部は前記マットの側部に開口が設けられた袋部であり、該袋部内底部に前記帯紐が縫着されている、ことを特徴とする請求項１記載のおんぶ紐。
【請求項３】
前記帯紐は、折り返して幅広で長尺な帯状に縫製されたものであり、前記袋部内底部に縫着された付け根部から所定の長さの部位に柔軟素材が介装されている、ことを特徴とする請求項２記載のおんぶ紐。
【請求項４】
前記帯紐の中間部位に、前記付け根部から所定の長さの部位に介装された柔軟素材に比較して肉薄の柔軟素材を介装して、乳幼児の脚裏に緩衝的に当たる脚当て部を備えた、ことを特徴とする請求項３記載のおんぶ紐。
【請求項５】
前記帯紐は、長さ調節可能に保持する紐止め部を備えたことを特徴とする請求項１から４のうち、いずれか１記載のおんぶ紐。
【請求項６】
前記紐止め部は、帯紐をくぐらせて帯紐を折り返し状態で帯紐長さを調節する輪であることを特徴とする請求項５記載のおんぶ紐。
【請求項７】
前記マットは、乳幼児の両脇に緩衝的に当たる脇当て部を備えた、ことを特徴とする請求項１記載のおんぶ紐。
【発明の詳細な説明】
【技術分野】
【０００１】  本発明はおんぶ紐に関し、特には、乳幼児にかかる負担を軽減し、乳幼児を容易に背負い、立ち上がり、歩行するなど、日常生活に支障のない、おんぶ紐に関するものである。
【背景技術】
【０００２】  従来、ハンテンを用いて乳幼児を背中におんぶし（背負い）ながら、家事等が行われてきている。
また、乳幼児を向かい合わせにして両腕で抱き上げ、かかえるようにして上半身で支えながら、日常の生活が営まれるだっこ紐もある。【０００３】  その他、おんぶ用エプロンといわれるものがあるが、このおんぶ用エプロンでは、肩から胸にかけて交叉して掛けられる肩ベルトに連結されていて腰に結ばれる腰紐を有する紐部と、腰紐の両端部が各々挿通される挿通穴が腰部両側に設けられているエプロンとを備えている。紐部は、乳幼児を載せる背受け部に縫い付けられている（特許文献１参照）。【０００４】  このようなおんぶ用エプロンによれば、先ず、エプロンを身につけ、次いで背受け部に載せた乳幼児をおんぶした後、紐部の腰紐をエプロン腰部の挿通穴に通して結ぶことによっておんぶ用エプロンの装着が完了する。
その際、エプロンの腰部は、その挿通穴に腰紐が通された状態で結ばれるので、腰部近辺に乱れは生じにくい。しかも、エプロン単独でも使用することができる、としている。【０００５】  しかしながら、このようなおんぶ用エプロンでは、エプロンと、紐部が裏に縫着された背受け部とがそれぞれ別々に構成され、取り扱いに慣れが必要である。すなわち、使用に当たり、背受け部に乳幼児を載せて、紐部を肩越しに回しておんぶした後、腰紐をエプロン腰部の挿通穴に通して結ぶなど煩雑さは否めない。
さらに、おんぶする際、乳幼児の足は、背受け部の足元に開けられた足ぐりに通すようにしている。そのために、足ぐりの縁に乳幼児の脚部がこすれることがあるなど気を付ける必要がある。【０００６】  一方、マットと、マットに取着された帯紐とからなり、背負う人の肩越しに帯紐を掛け渡して、乳幼児をマットごと背負い保持するようにしたものがある。構成が単純で背負い労力も小さくて済む。しかも、背負われる乳幼児を肩越しに確認することができるほど、乳幼児の顔を背負う人の顔に近づける状態とすることができ、乳幼児にとっても、背負う人にとっても安心感のある快適なものとすることができ、大いに注目されている。
【先行技術文献】
【特許文献】
【０００７】
【特許文献１】特開２００５−３３６６７４号公報
【発明の概要】
【発明が解決しようとする課題】
【０００８】  しかしながら、おんぶする際、帯紐が乳幼児の両脇下を通るように位置させ、マットを介して帯紐で乳幼児を締めていくので、強く締め付けないように注意が必要である。
また、背負う人の肩越しに帯紐を掛け渡して、乳幼児をマットごと背負い保持するので、帯紐には、ある程度長さが必要であり、屋外で背負う際、ベンチなどで腰掛けて姿勢を低くした状態で背負うと、帯紐が地面に触れて汚れるおそれがある。
さらには、背負い時、乳幼児の姿勢をより安定させるために、帯紐を乳幼児の脚裏にくぐらせて脚を支えるようにしているが、乳幼児の脚裏に帯紐が接触するので、脚裏に強く接触しないように留意する必要がある。
本発明は、以上のような課題を改善するために提案されたものであって、帯紐およびマットに工夫を施し、乳幼児に負担がかからず快適で、背負う人にとっても扱いやすい、おんぶ紐を提供することを目的とする。
【課題を解決するための手段】
【０００９】  上記課題を改善するために請求項１にかかる本発明では、乳幼児をくるむマットと、マットに取着された帯紐とからなり、帯紐を背負う人の肩越しに掛け渡して乳幼児をマットごと背負い保持するようにした、おんぶ紐において、
マットは、マットをマット側方内側に押し込むことで縮み込む拡縮部を備えた、ことを特徴とする。【００１０】  乳幼児をマットによりくるむ際、帯紐を持ち、マットをマット側方内側に押し込むことで拡縮部が縮み込んで、乳幼児の両脇がマットにより締め込まれるが、拡縮部を介して、乳幼児の両脇を緩衝的に支えることができる。【００１１】  また、請求項２にかかる本発明では、拡縮部はマットの側部に開口が設けられた袋部であり、袋部内底部に帯紐が縫着されている、ことを特徴とする。【００１２】  これにより、帯紐をマットごと乳幼児の両脇に通す際、帯紐を持ち、袋部内底部に向かってマットを押し込むことで、袋部が蛇腹状に縮むと共にマットが沈み込んでマットにより乳幼児が包み込まれ、蛇腹状に縮み込んだ袋部が乳幼児の両脇への締め付けを緩和することができる。
このように袋部が蛇腹状に縮むことで、背負う乳幼児の大きさにかかわらず、ほどよく乳幼児の両脇への締め付けを調節することができる。また、比較的手が小さい背負い人にとっても、双方の帯紐を掴みやすい。【００１３】  また、請求項３にかかる本発明では、帯紐は、折り返して幅広で長尺な帯状に縫製されたものであり、袋部内底部に縫着された付け根部から所定の長さの部位に柔軟素材が介装されている、ことを特徴とする。【００１４】  これにより、帯紐を背負う人の肩越しに掛け渡したときに、背負う人への肩当たりを緩和することができる。【００１５】  また、請求項４にかかる本発明では、帯紐の中間部位に、付け根部から所定の長さの部位に介装された柔軟素材に比較して肉薄の柔軟素材を介装して、乳幼児の脚裏に緩衝的に当たる脚当て部を備えた、ことを特徴とする。【００１６】  これにより、背負い時、帯紐を乳幼児の脚裏にくぐらせて脚を支える。その際、乳幼児の脚裏に帯紐が接触しても、幅広な帯紐が幅広のままで当たり、しかも介装される柔軟素材により、脚裏に対する当たりを極力和らげることができる。
なお、結んだ帯紐が解かれた状態でおんぶ紐が放置されても、帯紐は、内側に柔軟素材が介装されているので、縒れた状態から速やかに元の状態に戻る。【００１７】  また、請求項５にかかる本発明では、帯紐は、長さ調節可能に保持する紐止め部を備えたことを特徴とする。【００１８】  屋外で、ベンチなどで座った状態で乳幼児を背負う際、大腿部上において乳幼児をマットに載せ、帯紐をマットごしに乳幼児の脇下に通す。この際、紐止め部により、帯紐の長さを短く調節しておけば、帯紐が地面に触れて汚れるおそれはない。【００１９】  また、請求項６にかかる本発明では、紐止め部は、帯紐をくぐらせて帯紐を折り返し状態で帯紐長さを調節する輪であることを特徴とする。【００２０】  これにより、屋外で乳幼児を背負う際、帯紐の輪に、帯紐をくぐらせて帯紐を折り返し状態で長さを調節すれば、帯紐が地面に触れて汚れるおそれはない。【００２１】  さらに、請求項７にかかる本発明では、マットは、乳幼児の両脇に緩衝的に当たる脇当て部を備えた、ことを特徴とする。【００２２】  これにより、おんぶする際、帯紐をマットごと乳幼児の両脇に通して、乳幼児を抱え上げた際、乳幼児の両脇がマットを介して締められるように当たるが、マットの脇当て部により、乳幼児の両脇を緩衝的に支えることができる。
【発明の効果】
【００２３】  本発明によれば、帯紐およびマットに工夫を施し、乳幼児に負担がかからず快適で、背負う人にとっても扱いやすい、おんぶ紐を提供することができる。
【図面の簡単な説明】
【００２４】
【図１】  本発明にかかるおんぶ紐の一実施形態を示す平面図である。
【図２】  図１に示すおんぶ紐のマットと帯紐との取り付け部近傍の要部拡大説明図である。
【図３】  おんぶ紐における帯紐先端に設けられた紐止め部としての輪に帯紐をくぐらせて長さを調節する状態を示した要部説明図である。
【図４】  おんぶする乳幼児をマット上に横たわらせた状態を示した説明図である。
【図５】  マットごと乳幼児の脇下に位置させた帯紐を持ち、マット側方内側に向かってマットを押し込んで、乳幼児を両脇からマットごとくるんだ状態を示す説明図である。
【図６】  帯紐を持ち、マット側方内側に向かってマットを押し込むことで、乳幼児を、両脇からマットごとくるんだ状態から、抱え上げるところを示す説明図である。
【図７】  マットごと乳幼児を、帯紐を肩越しに掛け渡して背負う状態を示した説明図である。
【図８】  肩越しに掛け渡した帯紐を、紐止め部としての輪に帯紐をくぐらせて長さを調節した状態で背負ったところを示す、説明図である。
【図９】  背負った乳幼児の背中側に回した帯紐を交叉させて、帯紐を乳幼児の脚裏にくぐらせた状態を示す、説明図である。
【発明を実施するための形態】
【００２５】  以下、本発明にかかるおんぶ紐の実施形態について図面を用いて詳細に説明する。なお、以下の実施形態に記載されている構成品、素材、形状、その相対位置などは特に特定的な記載がない限り、この発明の範囲をそれのみに限定する趣旨ではなく、単なる説明例にすぎない。
【００２６】  （実施形態）
図１に、本発明にかかるおんぶ紐１の一例を示す。
おんぶ紐１は、乳幼児をくるむマット２と、マット２に縫い付けられた帯紐３とからなる。
【００２７】  マット２は、素材に比較的厚手の腰のある綿布を用いて、乳幼児をくるむ大きさの方形マット状に縫製されている。この場合、マット２は、綿布を２重に重ね合わせて表地と裏地として縫製することで厚みを持たせている。
そしてマット２には、図１中、上辺から所定寸法の上襟部２１の下の位置において、両側縁を開口した袋部２２が拡縮部としてマット幅方向に拡縮可能に形成されている。かかる袋部２２には、帯紐３が、袋部２２の開口２２ｔ内からマット幅方向に突出するように開口２２ｔ内に縫着されている（図２参照）。
【００２８】  帯紐３は、マット２同様の厚手の綿布を用いて、折り返して幅広で長尺な帯状に縫製されている。この場合、帯紐３は、付け根部を、袋部２２の開口２２ｔから差込んで、袋部２２の底部に縫着している。
これにより、マット２の両側部の袋部２２の開口２２ｔから突出する帯紐３を持ち、マット側方内側にマット２を押し込むことで、袋部２２が蛇腹状に縮み込み、蛇腹状に縮み込んだ袋部２２が乳幼児の両脇への締め付けを緩和する機能を持たせている（図２参照）。
【００２９】  また、帯紐３は、付け根部から所定の長さの部位に、例えばウレタン樹脂シート等、柔軟素材３ｓを介装させて縫製されている。これにより、帯紐３を背負う人の肩越しに掛け渡したときに、背負う人への肩当たりを緩和することができる。
【００３０】  また、帯紐３には、中間の適宜な部位に、付け根部寄りの部位に介装された柔軟素材３ｓに比較して肉薄の柔軟素材３ｓを介装して、乳幼児の脚裏に緩衝的に接触するようにした脚当て部としての機能を持たせている。
これにより、背負い時、帯紐３を乳幼児の脚裏にくぐらせて脚を支える際、乳幼児の脚裏に帯紐３が緩衝的に接触して、脚裏に対する当たりを極力和らげるようにしている。
【００３１】  さらに、帯紐３の先端側には、長さ調節可能に長さを調節する紐止め部としての輪３１が縫着されている。
これにより、屋外で乳幼児を背負う際、帯紐３先端側の輪３１に、帯紐３をくぐらせて帯紐３を折り返し状態で長さを調節することで、帯紐３が地面に触れることのないようにしている。
【００３２】  本発明にかかるおんぶ紐１は、以上のように構成されるものであり、次におんぶ紐１の使い方を、図面を用いて説明する。
先ず、マット２を床面に広げて、図４に示すように双方の袋部２２を結ぶ線上に、乳幼児の脇下の位置を合わせて乳幼児を横たわらせる。この際、マット２の上辺の上襟部２１を袋部２２の位置まで折り込んだ状態とし、帯紐３先端側の輪３１に、帯紐３をくぐらせて帯紐３を折り返し状態で長さを短く調節しておく（図３参照）。おんぶする際、長さの長い帯紐３が絡むようなことは避けられる。
このように帯紐３の長さを短く調節可能なので、図示は省略するが、屋外で、例えばベンチなどに座って姿勢を低くした状態で乳幼児をおんぶする際でも、帯紐３を折り返した状態に長さを短く調節しておけば、帯紐３が地面に触れて汚れるおそれはない。
【００３３】  次に背負う人は、乳幼児の両脇下回りを、双方の帯紐３を介し、マット２でくるむようにする（図５参照）。このとき、背負う人は、双方の帯紐３を持ちながら、マット側方内側にマット２を押し込むことで、袋部２２が蛇腹状に縮むと共にマット２が沈み込んでマット２により乳幼児が包み込まれ、蛇腹状に縮み込んだ袋部２２の作用で、乳幼児の両脇への締め付けを緩和することができる（図６参照）。
このように袋部２２が蛇腹状に縮むことで、背負う乳幼児の大きさにかかわらず、ほどよく乳幼児の両脇への締め付けを調節することができる。
【００３４】  次いで背負う人は、帯紐３の付け根部を持ちながら乳幼児をマット２ごと抱え上げ、乳幼児を背中側に回してマット２ごと支えながら肩越しに帯紐３を掛け渡す（図７参照）。この際、比較的手が小さい背負い人にとっても、双方の帯紐３を掴みやすく、双方の帯紐３を持ちながら、マット側方内側にマット２を押し込むことで、マット２の袋部２２が縮み込んでマット２が沈み込み、マット２により乳幼児が包み込まれ、容易に乳幼児を抱え上げることができる。
そして、背負う人は立ち上がりながら帯紐３を両肩に振り分けつつ、乳幼児の支え位置を調整し、乳幼児の顔が背負う人の肩上の位置にもたらされると、背負う人は、双方の帯紐３をそれぞれ両肩から前にたらす（図８参照）。
帯紐３は、付け根部から所定の長さの部位に、ウレタン樹脂シート等の柔軟素材３ｓを介装させているので、背負う人への肩当たりを緩和することができる。
【００３５】  次に、背負う人は、両肩から垂らした帯紐３を持って、短く長さ調整された帯紐３を、先端側の輪３１を介して引き戻して拡張しながら背中側に回す。
この際、双方の帯紐３を、乳幼児をくるむマット２に、下から交叉させるように回し、乳幼児の脚裏にくぐらせて前側に戻し、互いに結んで終了する（図９参照）。
乳幼児の脚は帯紐３により支えられ、乳幼児の脚裏に帯紐３が接触するが、帯紐３には腰のある厚手の綿布を用いており、幅広な帯状に縫製されていてしかも帯紐３には柔軟素材が介装されているので、帯紐３は乳幼児の脚裏に広がった状態で接触することができ、脚裏への負担を緩和することができる。
【００３６】  なお、結んだ帯紐３をといて、乳幼児をおろした後、結びが解かれた状態でおんぶ紐１が放置されても、帯紐３は、腰のある厚手の綿布を用いて幅広に縫製され、内側に柔軟素材３ｓが介装されているので、縒れた状態から速やかに元の状態に戻る。したがって長期に亘る、繰り返しの使用によっても、帯紐３には癖が残りにくく、アイロンがけなどの手間を少なくすることができる。
【００３７】  以上、おんぶ紐１について一例を挙げ、説明した。
本発明にかかるおんぶ紐１は、以下のように構成することもできる（図示省略）。
例えば、上述のおんぶ紐１では、紐止め部として帯紐３先端側に設けた輪３１に限らず、帯紐３を途中で拘束するいずれの手段でもよい。
また、帯紐３に乳幼児の脚裏に接触しても緩和されるように腿当てパッドを設けるようにしてもよい。
さらに、上述の実施形態では、マット２の側部に設けた、マット２幅方向に拡縮する袋部２２を拡縮部としているほか、マット２の対応する側部に脇当て部として、緩衝パッドを設けるようにすることもできる。
【産業上の利用可能性】
【００３８】  以上、本発明によれば、マットと、マットに取着された帯紐とからなり、背負う人の肩越しに帯紐を掛け渡して、乳幼児をマットごと背負い保持するようにした構成のおんぶ紐で、帯紐およびマットに工夫を施し、乳幼児に負担がかからず快適で、背負う人にとっても扱いやすい、おんぶ紐を提供することができる。
さらにマットの素材に撥水機能を持たせた素材を用いたり、防寒、防汚機能を有する素材を用いるようにすれば、使用環境が厳しいところや天候急変などに耐えうるものとすることができ、さらに汎用性が期待できる。
【符号の説明】
【００３９】１      おんぶ紐
２      マット
２１    上襟部
２２    袋部
２２ｔ  開口
３      帯紐
３１    輪
３ｓ    柔軟素材
【図１】
2019000607.tif 000003
【図２】
2019000607.tif 000004
【図３】
2019000607.tif 000005
【図４】
2019000607.tif 000006
【図５】
2019000607.tif 000007
【図６】
2019000607.tif 000008
【図７】
2019000607.tif 000009
【図８】
2019000607.tif 000010
【図９】
2019000607.tif 000011